(57)【要約】【課題】本考案の目的は、血行促進、代謝促進などに有効なチタン素材やゲルマニウム素材、トルマリンを、より簡便な方法で応用した、ゲルマニウム素材入り健康ベルトを提供することである。【解決手段】上記目的を達成するため、本考案のゲルマニウム素材入り健康ベルトは、ゲルマニウム素材から選ばれた少なくとも一種の金属乃至無機物を内部に含有する高分子材料により製作された帯と、該帯を覆う有機繊維と、連結具からなることを特徴とするゲルマニウム素材入り健康ベルトであり、ゲルマニウム素材の、帯を構成する全重量に対する割合が１．０〜２０．０％であることを特徴とするゲルマニウム素材入り健康ベルトである。【選択図】      図４
0003110604.tif 000002
【実用新案登録請求の範囲】
【請求項１】
ゲルマニウム素材から選ばれた少なくとも一種の金属乃至無機物を内部に含有する高分子材料により製作された帯と、該帯を覆う有機繊維と、連結具からなることを特徴とするゲルマニウム素材入り健康ベルト。
【請求項２】
請求項１において、ゲルマニウム素材の、帯を構成する全重量に対する割合が１．０〜２０．０重量％（以下％と略す）であることを特徴とするゲルマニウム素材入り健康ベルト。
【請求項３】
請求項１、２において、高分子材料が高分子弾性材料であることを特徴とするゲルマニウム入り健康ベルト。
【請求項４】
請求項１、２において、ゲルマニウム素材から選ばれた金属乃至無機化合物は粒子の形態で含有されていることを特徴とするゲルマニウム素材入り健康ベルト。
【請求項５】
請求項１、２において、ゲルマニウム素材としては、ゲルマニウム金属、ゲルマニウム化合物、ゲルマニウムを化合物の形で含有するゲルマニウム鉱物であることを特徴とするゲルマニウム素材入り健康ベルト。
【請求項６】
請求項１〜５において、トルマリン、モナザイト、バイオセラミックスがさらに追加添加されていることを特徴とするゲルマニウム素材入り健康ベルト。
【請求項７】
請求項１〜５において、帯の断面が四角乃至角を丸めた四角であることを特徴とするゲルマニウム素材入り健康ベルト。
【考案の詳細な説明】
【技術分野】
【０００１】
本考案は、首や手足等に使用するゲルマニウム素材入り健康ベルトに関する。
【背景技術】
【０００２】
血行促進、代謝促進のため、最近、ゲルマニウム素材が注目されている。この素材は自律神経の調整などの作用を有する。また半導体の特性から体内の活性酸素と結合し体外に運び出す効果が期待される。そして、この作用は、これら素材が皮膚と直接接触しない場合でも有効とされる。
【０００３】
従来、チタン系素材を手足などに巻き付けて使用するバンドに応用しようとする試みがなされている。即ち、繊維製品からなる表面層と、可撓性がある中間層からなるバンドにおいて、中間層にチタンなどを含有させた健康バンドが開示されている（特許文献１）。しかしゲルマニウム化合物を使用すれば、チタン系素材とは異なった効果が期待される。しかし、ゲルマニウムを使用し、かつ有機繊維からなるカバーを有する健康ベルトは知られていない。
【０００４】
【特許文献１】：実登３０４５８３５号公報
【考案の開示】
【考案が解決しようとする課題】
【０００５】
本考案の目的は、自律神経の調整などの作用を有し、体内の活性酸素と結合し体外に運び出す効果が期待されるゲルマニウム素材を、より簡便な方法で、腕輪などのベルトに応用した、ゲルマニウム素材入り健康ベルトを提供することである。
【課題を解決するための手段】
【０００６】
上記目的を達成するため、本考案のゲルマニウム素材入り健康ベルトは、
（１）  ゲルマニウム素材から選ばれた少なくとも一種の金属乃至無機物を内部に含有する高分子材料により製作された帯と、該帯を覆う有機繊維と、連結具からなることを特徴とする、
（２）  （１）において、ゲルマニウム素材の、帯を構成する全重量に対する割合が１．０〜２０．０％であることを特徴とするゲルマニウム素材入り健康ベルト。
（３）  （１）、（２）において、高分子材料が高分子弾性材料であることを特徴とする、
（４）  （１）、（２）において、ゲルマニウム素材から選ばれた金属乃至無機化合物は粒子の形態で含有されていることを特徴とする、
（５）  （１）、（２）において、ゲルマニウム素材としては、ゲルマニウム金属、ゲルマニウム化合物、ゲルマニウムを化合物の形で含有するゲルマニウム鉱物であることを特徴とする、
（６）  （１）〜（５）において、トルマリン、モナザイト、バイオセラミックスがさらに追加添加されていることを特徴とする、
（７）  （１）〜（５）において、帯の断面が四角乃至角を丸めた四角であることを特徴とする。
【０００７】
本考案で用いられるゲルマニウム素材としては、ゲルマニウム金属、ゲルマニウムを有する無機物が使用される。無機物としては、酸化ゲルマニウム、ゲルマニウムをおそらくは化合物のとして有するゲルマニウム鉱物をあげることができる。
【０００８】
ゲルマニウム素材の、帯を構成する全重量に対する割合が１．０〜２０．０％であるのは、１．０％より少ないとゲルマニウム添加の効果が少なく、２０．０％より多くなると、効果が飽和し、コストが上昇するからである。
【０００９】
本考案で用いるゲルマニウム素材と併用できる素材としては、ゲルマニウム素材、トルマリン、モナザイト、バイオセラミックスをあげることができる。
本考案では、ゲルマニウム素材とトルマリンを併用することができる。トルマリンは、別名電気石といわれ主成分として、Ａｌ、Ｂ、Ｓｉを有する。
種類としは、ショールトルマリン、リチアトルマリン、ドラバイトトルマリンがある。トルマリンはモース硬度７〜７．５、比重３〜３．３の六方晶系の鉱石である。トルマリンの特徴は、特有のマイナスイオンを作り出し、体質改善に有効とされることである。
【００１０】
本考案では、ゲルマニウム素材と、モナザイトを併用することができる。モナザイトは、トリウム鉱石の一種で、花崗岩ペグマタイト（巨晶）中に産出する。褐色柱状又は板状の結晶で透明感がある。ウラニウムを含み、放射線で長石を赤く、石英を黒く変色させる性質がある。また本考案では、リン酸カルシウムなどのバイオセラミックスを併用することもできる。
【００１１】
本考案で使用される有機弾性材料としては、ゴムをあげることができる。ゴムとしては、シリコンゴム、ウレタンゴム、ブチルゴム、アクリルゴム、スチレン-ブタジエンゴムなどの合成ゴム、天然ゴムなどをあげることができる。しかし、肌に対する刺激が少ないこと成形性が良好なことなどからシリコンゴムが好ましい。また弾性材料とするため、原料として架橋剤が使用される。これら架橋剤としては、有機過酸化物などをあげることができる。また酸化防止のため抗酸化剤を添加することができる。
【００１２】
本考案のゲルマニウム素材入り健康ベルトは継ぎ目を有し、手足の寸法が異なる場合においても、対応可能である。ここで健康ベルトの両端の連結具が必要である。
連結具の材料としては、プラスチックス、金属などをあげることができる。連結具の形態としてはベルトの連結具として公知のものを使用できる。
【００１３】
本考案のゲルマニウム素材から選ばれた少なくとも一種の金属乃至無機物は、弾性材料の内部にあり、弾性材料の表面には出ていない。このためゲルマニウム素材入り健康ベルトとして使用されたとき、内部にある金属乃至無機物により皮膚が刺激されることがなくアレルギーなどの危険性がより少ない。
【００１４】
本考案のゲルマニウム素材入り健康ベルトを作成する方法としては、シートの形態に作成後切断する方法がある。そしてゲルマニウム素材入り健康ベルトのリングの長さは、腕、足首の外周長さよりやや大きめにする。腕、足首に着用したとき締め付けないためである。なお、二重、三重にして、腕、足首に着用するときは、腕、足首の外周長さの二倍、三倍よりやや大きくする。
【００１５】
本考案のゲルマニウム素材入り帯の断面は四角乃至角を丸めた四角である。角を丸めた四角とは、図１に示す如く四角の角の鋭角部分を除き、円くした形態をいう。ベルト状にし、切断すれば四角となるからである。
【００１６】
本考案においては、ゲルマニウム素材入り帯は、有機繊維で覆われる。このため本考案のゲルマニウム入り健康ベルトを使用開始時、肌に接しても冷たいなどの不快感を感じない。ここで使用する有機繊維としては、木綿、ポリエステル繊維、ポリアミド繊維、アクリル繊維をあげることができ、組織としては、織物、編物などをあげることができる。
【考案を実施するための最良の形態】
【００１７】
以下に、本考案の一実施例に就いて、説明する。
まず、ゲルマニウム素材入り健康ベルト形成のため、次の組成の原料を配合する。ここに「部」とは、重量部である。
未加硫のシリコン生ゴム                    ９１．２部
シリコンゴム硬化剤                          ０．２部
トルマリン                                  １．０部
モナザイト                                  ２．２部
ゲルマニウム                                ５．４部
合計                                    １００．０部
を混合し、加工剤組成物Ａを作成する。
【００１８】
次に、ゴム帯を形成するための金型に上記加工剤組成物を流し込み加硫処理して、ゴム３とゲルマニウム２、モナザイトからなるシートを得、裁断する。次に有機繊維１で覆って図１に示す帯７を得る。ここで図１は、本考案のゲルマニウム素材入り帯の断面図である。次に、帯７と雌型プラスチック治具５は接合具６を使用して接合させる。図２は、接合具６を用いた帯７と雌型プラスチック治具５との接合を示す断面図である。雄型プラスチック治具４と帯７との接合も同様に行われる。雄型プラスチック治具の先端９は撓むことが可能であり、雌型プラスチック治具４と嵌合するのである。図３は、嵌合する前の状態における雄型プラスチック治具と雌型プラスチック治具の平面図である。
図４は、ゲルマニウム入り健康ベルトの斜視図である。
【００１９】
未加硫のシリコン生ゴム                  １７３．５部
シリコンゴム硬化剤                          ０．５部
トルマリン                                  ７    部
モナザイト                                  ６    部
バイオセラミックス                          ７    部
ゲルマニウム                                ６    部
合計                                    ２００    部
を混合し、加工剤組成物Ｂを作成する。Ｂを用いて同様にゲルマニウム素材入り健康ベルトが作成される。
【００２０】
未加硫のシリコン生ゴム                  １７２．５部
シリコンゴム硬化剤                          ０．５部
モナザイト                                  ６    部
バイオセラミックス                          ７    部
ゲルマニウム                              １４    部
合計                                    ２００    部
を混合し、加工剤組成物Ｃを作成する。加工剤組成物Ｃを用いて同様にゲルマニウム素材入り健康ベルトが作成される。
【００２１】
未加硫のシリコン生ゴム                  １６５．５部
シリコンゴム硬化剤                          ０．５部
トルマリン                                  ７    部
モナザイト                                  ６    部
バイオセラミックス                          ７    部
ゲルマニウム                              １４    部
合計                                    ２００    部
を混合し、加工剤組成物Ｄを作成する。加工剤組成物Ｄを用いて同様にゲルマニウム素材入り健康ベルトが作成される。
【００２２】
本考案のゲルマニウム素材入り健康ベルトは、リスト（手首）、アーム（肘）、ひざ、ふくらはぎ、足首などのサポータや、ヘヤーバンドなどに使用できる。  
以上の説明によって明らかな様に、本考案によるゲルマニウム素材入り健康ベルトは以下のような効果を有する。
（ａ）  ゲルマニウム鉱物の効果により、自律神経の調整などの作用を有する。また半導体の特性から体内の活性酸素と結合し体外に運び出す効果が期待される。
（ｂ）  トルマリン鉱物の効果により、特有のマイナスイオンを作り出し体質改善効果が期待される。
（ｃ）  ゲルマニウム素材などを含む突起状固形物により適度の刺激が与えられ、健康によい。
【図面の簡単な説明】
【００２３】
【図１】本考案のゲルマニウム素材入り帯の断面図である。
【図２】接合具を用いた帯と雌型プラスチック治具との接合を示す断面図である。
【図３】雄型プラスチック治具と雌型プラスチック治具の平面図である。
【図４】ゲルマニウム入り健康ベルトの斜視図である。
【符号の説明】
【００２４】
１    有機繊維
２    ゲルマニウム系素材
３    シリコンゴム
４    雄型プラスチック治具
５    雌型プラスチック治具
６    接合具
７    帯
８    穴
９    雄型プラスチック治具の先端突起
１０  嵌合時の雄型プラスチック治具の先端突起
【図１】
0003110604.tif 000003
【図２】
0003110604.tif 000004
【図３】
0003110604.tif 000005
【図４】
0003110604.tif 000006
【手続補正書】
【提出日】平成17年3月25日(2005.3.25)
【手続補正１】
【補正対象書類名】実用新案登録請求の範囲
【補正対象項目名】請求項１
【補正方法】変更
【補正の内容】
【請求項１】
ゲルマニウム素材を有し、高分子材料により製作された帯と、有機繊維と、連結具からなるゲルマニウム素材入り健康ベルトにおいて、
該連結具は、有機繊維で覆われた帯の両端部に取り付けられていること、
該帯の外部表面は有機繊維で覆われていること
及び高分子材料により製作された帯の内部にゲルマニウム素材から選ばれた少なくとも一種の金属乃至無機物を含有することを特徴とするゲルマニウム素材入り健康ベルト。
【手続補正２】
【補正対象書類名】明細書
【補正対象項目名】０００６
【補正方法】変更
【補正の内容】
【０００６】
上記目的を達成するため、本考案のゲルマニウム素材入り健康ベルトは、
（１）  ゲルマニウム素材を有し、高分子材料により製作された帯と、有機繊維と、連結具からなるゲルマニウム素材入り健康ベルトにおいて、
該連結具は、有機繊維で覆われた帯の両端部に取り付けられていること、該帯の外部表面は有機繊維で覆われていること
及び高分子材料により製作された帯の内部にゲルマニウム素材から選ばれた少なくとも一種の金属乃至無機物を含有することを特徴とする、
（２）  （１）において、材料が弾性材料であることを特徴とする、
（３）  （１）、（２）において、チタン系素材、ゲルマニウム素材から選ばれた金属乃至無機化合物は粒子の形態で含有されていることを特徴とする、
（４）  （１）、（２）において、チタン系素材として、金属チタンあるいはチタンを含有するチタン化合物、チタン合金であることを特徴とする、
（５）  （１）、（２）において、ゲルマニウム素材としては、ゲルマニウム金属、ゲルマニウム化合物、ゲルマニウムを化合物の形で含有するゲルマニウム鉱物であることを特徴とする、
（６）  （１）〜（５）において、チタン系素材、ゲルマニウム素材の混合量が、帯乃至紐の全重量に対し、１．０〜２０．０％であることを特徴とする、
（７）  （１）〜（５）において、トルマリン、モナザイト、バイオセラミックスがさらに追加添加されていることを特徴とする、
（１）〜（５）において、帯乃至紐の断面が、丸、楕円、四角乃至角を丸めた四角であることを特徴とする。
【手続補正書】
【提出日】平成17年3月25日(2005.3.25)
【手続補正１】
【補正対象書類名】実用新案登録請求の範囲
【補正対象項目名】請求項１
【補正方法】変更
【補正の内容】
【請求項１】
ゲルマニウム素材を有し、高分子材料により製作された帯と、有機繊維と、連結具からなるゲルマニウム素材入り健康ベルトにおいて、
該連結具は、有機繊維で覆われた帯の両端部に取り付けられていること、
該帯の外部表面は有機繊維で覆われていること
及び高分子材料により製作された帯の内部にゲルマニウム素材から選ばれた少なくとも一種の金属乃至無機物を含有することを特徴とするゲルマニウム素材入り健康ベルト。
【手続補正２】
【補正対象書類名】明細書
【補正対象項目名】０００６
【補正方法】変更
【補正の内容】
【０００６】
上記目的を達成するため、本考案のゲルマニウム素材入り健康ベルトは、
（１）  ゲルマニウム素材を有し、高分子材料により製作された帯と、有機繊維と、連結具からなるゲルマニウム素材入り健康ベルトにおいて、
該連結具は、有機繊維で覆われた帯の両端部に取り付けられていること、該帯の外部表面は有機繊維で覆われていること
及び高分子材料により製作された帯の内部にゲルマニウム素材から選ばれた少なくとも一種の金属乃至無機物を含有することを特徴とする、
（２）  （１）において、ゲルマニウム素材の帯を構成する全重量に対する割合が１．０〜２０．０重量％（以下％と略す）であることを特徴とする、
（３）  （１）、（２）において、高分子材料が高分子弾性材料であることを特徴とする、
（４）  （１）、（２）において、ゲルマニウム素材から選ばれた金属乃至無機化合物は粒子の形態で含有されていることを特徴とする、
（５）  （１）、（２）において、ゲルマニウム素材としては、ゲルマニウム金属、ゲルマニウム化合物、ゲルマニウムを化合物の形で含有するゲルマニウム鉱物であることを特徴とする、
（６）  （１）〜（５）において、トルマリン、モナザイト、バイオセラミックスがさらに追加添加されていることを特徴とする、
（７）  （１）〜（５）において、帯乃至紐の断面が、丸、楕円、四角乃至角を丸めた四角であることを特徴とする。